(57)【要約】【課題】ホッチキスやクリップで綴じられている原稿が装置内部へ取り込まれることを防止することのできる自動原稿搬送装置を備えた画像読取装置を提供することを目的としている。【解決手段】原稿を１枚ずつ取り込んで、原稿を搬送しながら読み取りを行なう画像読取装置において、原稿に付いている金属を吸着する磁石が設けられている。前記磁石は、原稿経路の上側及び下側の少なくとも一方において、原稿の幅方向全長に渡って設けられている。さらに、画像読取装置には、原稿搬送路の途中にあって、取り込んだ原稿の到達を検出するセンサと、取込みローラが駆動したにも関わらず原稿の到達を検出しない場合、原稿搬送用ローラを停止させ、原稿に対する金属の付着確認を促すメッセージを表示させる制御手段が設けられている。【選択図】　図１
2004040267.tif 000002
【特許請求の範囲】
【請求項１】
原稿を載置する原稿載置トレイと、原稿を１枚ずつ分離しながら取り込む原稿分離手段と、原稿の読み取りを行なう読取手段を備えた画像読取装置において、原稿に付いている金属を吸着する磁石を原稿分離手段近傍に設けたことを特徴とする画像読取装置。
【請求項２】
前記磁石は、原稿搬送路の上側及び下側の少なくとも一方において、原稿の幅方向全長に渡って設けられていることを特徴とする請求項１記載の画像読取装置。
【請求項３】
原稿分離手段の直ぐ上流側には、原稿載置トレイから原稿を抽出する原稿抽出手段を備え、前記磁石は、原稿抽出手段と原稿分離手段の間において、原稿搬送路の上側に設けられていることを特徴とする請求項１又は２記載の画像読取装置。
【請求項４】
原稿抽出手段と原稿分離手段が駆動伝達機構を介して連動可能に設けられており、原稿分離手段の軸を中心に揺動する原稿抽出手段が、原稿に対して上下動する際に前記磁石と干渉しないように、原稿抽出手段と原稿分離手段の軸が前記磁石の外側まで延びており、駆動伝達機構が前記磁石の端部よりも外側に設けられていることを特徴とする請求項３記載の画像読取装置。
【請求項５】
前記磁石は、原稿分離手段の直ぐ下流側に設けられていることを特徴とする請求項１又は２記載の画像読取装置。
【請求項６】
原稿搬送路の途中にあって、取り込んだ原稿の到達を検出するセンサと、原稿搬送用ローラが駆動したにも関わらず原稿の到達を検出しない場合、原稿に対する金属の付着確認を促すメッセージを表示させる制御手段を備えたことを特徴とする請求項１乃至５のいずれかに記載の画像読取装置。
【発明の詳細な説明】
【０００１】
【発明の属する技術分野】
本発明は、自動原稿搬送装置を備えた、コピー機、ファクシミリ装置等の画像読取装置に関する。
【０００２】
【従来の技術】
一般に、自動原稿搬送装置を搭載したファクシミリ装置において、複数枚の原稿をファクシミリ送信する場合、原稿は重ねて原稿載置トレイ上にセットされ、スタートキーが押下されることによって、１枚ずつ分離されながら搬送される。
【０００３】
ところで、複数枚の原稿は、ホッチキスやクリップで綴じられていることが少なくない。したがって、複数枚の原稿をファクシミリ送信する場合、ユーザは、原稿にホッチキスやクリップが付いていないかをチェックする必要がある。ホッチキスやクリップを見落としてしまった場合、また、この動作を怠ってしまった場合、原稿は、ホッチキスやクリップが付いたままファクシミリ装置内へ取込まれることになる。その結果、原稿搬送路に傷が付く、原稿そのものが破損する、給紙ジャムが起こる等といった問題が発生する。
【０００４】
そこで、このようなトラブルを回避するための解決法として、例えば、特開平８−１１３３８７がある。これによると、原稿のホッチキスやクリップを検知するための金属検知センサが設けられ、ホッチキスやクリップが検知された場合には、制御手段によって原稿の搬送が中止される。これによって、ホッチキスやクリップの付いた原稿が自動原稿搬送装置内部に取り込まれることを防止することができる。
【０００５】
【発明が解決しようとする課題】
しかしながら、自動原稿搬送装置に金属検知センサを設けることは、ユーザにとってコスト面において負担であり、また画像読取装置全体の構造を複雑にするという問題点がある。
【０００６】
本発明は上記課題に鑑みてなされたものであり、簡単な構成によって、ホッチキスやクリップが付いている原稿が自動原稿搬送装置内部へ取り込まれることを防止することのできる画像読取装置を提供することを目的としている。
【０００７】
【課題を解決するための手段】
上記目的を達成するために、請求項１記載の画像読取装置では、原稿を載置する原稿載置トレイと、原稿を１枚ずつ分離しながら搬送する原稿分離手段と、原稿の読み取りを行なう読取手段を備えた画像読取装置において、原稿に付いている金属を吸着する磁石を原稿分離手段近傍に設けたことを特徴とする。
【０００８】
請求項２記載の画像読取装置は、請求項１記載の画像読取装置において、前記磁石は、原稿搬送路の上側及び下側の少なくとも一方において、原稿の幅方向全長に渡って設けられていることを特徴とする。
【０００９】
請求項３記載の画像読取装置は、請求項１又は２記載の画像読取装置において、原稿分離手段の直ぐ上流側には、原稿載置トレイから原稿を抽出する原稿抽出手段を備え、前記磁石は、原稿抽出手段と原稿分離手段の間において、原稿搬送路の上側に設けられていることを特徴とする。
【００１０】
請求項４記載の画像読取装置は、請求項３記載の画像読取装置において、原稿抽出手段と原稿分離手段は駆動伝達機構を介して連動可能に設けられており、原稿分離手段の軸を中心に揺動する原稿抽出手段が原稿に対して上下動する際に前記磁石と干渉しないように、原稿抽出手段と原稿分離手段の軸は前記磁石の外側まで延びており、駆動伝達機構は前記磁石の端部よりも外側に設けられていることを特徴とする。
【００１１】
請求項５記載の画像読取装置は、請求項１又は２記載の画像読取装置において、前記磁石は、原稿分離手段の直ぐ下流側に設けられていることを特徴とする。
【００１２】
請求項６記載の画像読取装置は、請求項１乃至請求項５のいずれかに記載の画像読取装置において、原稿搬送路の途中にあって、取り込んだ原稿の到達を検出するセンサと、原稿搬送用ローラが駆動したにも関わらず原稿の到達を検出しない場合、原稿搬送用ローラを停止させ、原稿に対する金属の付着確認を促すメッセージを表示させる制御手段を備えたことを特徴とする。
【００１３】
【発明の実施の形態】
以下に本発明の一実施の形態を図面を用いて説明するが、本発明の趣旨を越えない限り、何ら本実施の形態に限定されるものではない。
【００１４】
図１、図２を用いて、本発明のＡＤＦ（自動原稿搬送装置）１０を備えた画像読取装置１の構成について説明する。図１は、本発明の実施の形態に係るＡＤＦを備えた画像読取装置の側面断面図である。図２は、図１の平面図である。
【００１５】
画像読取装置１は、ＡＤＦ１０とスキャナ３４（図示せず）とを備えている。ＡＤＦ１０は、スキャナフレーム２５に取り付けられている。スキャナフレーム２５の内部にはスキャナ３４が設けられており、スキャナ３４は、光源、複数のミラー、レンズ、及び撮像素子（ＣＣＤ）を備えている。
【００１６】
図１に示されるように、ＡＤＦ１０においては、従来公知のＡＤＦの場合と同様に、横向きの略Ｕ字状に構成した原稿搬送路１３を設けており、原稿載置トレイ２１と原稿排出トレイ２２の間を接続している。前記原稿搬送路１３は本体フレーム１１の周囲部分に設けている図示を省略するガイド板と、開閉フレームとしての上部材１２の内面に設けているガイド板（図示を省略）とにより区画され、コンタクトガラス３による読み取り位置の下流部では、排出ローラ２０に達する案内路を設けている。また、前記原稿搬送路１３は、上部材１２を支軸１２ａを中心にして揺動させて開くことにより、原稿搬送路１３の上部分を開放可能としている。
【００１７】
原稿載置トレイ２１には、原稿がセットされたか否かを検出するための原稿セットセンサＡが設けられている。原稿搬送路１３には、原稿載置トレイ２１に続く原稿挿入部に上下動可能なピックアップローラ１４を配置し、ピックアップローラ１４は、原稿を取り込む際にのみ、所定の時間だけ原稿に押圧するように下降される。ピックアップローラ１４の直ぐ下流側に、セパレートローラ１５とリタードローラ１６とを対向させて設けて、原稿を１枚ずつ分離して原稿搬送路１３に向けて給紙する。したがって、セパレートローラ１５とリタードローラ１６が、原稿取込口となる。ピックアップローラ１４は、原稿取り込みの際、搬送用ローラ駆動モータ３７の回転駆動に伴って下降し、ピックアップローラ１４によって送られた原稿の先端がセパレートローラ１５とリタードローラ１６との間に到達すると上昇復帰する。
【００１８】
前記原稿搬送路１３内には、第１搬送ローラ１７、第２搬送ローラ１８、第３搬送ローラ１９を所定の間隔で配置している。第１搬送ローラ１７と第２搬送ローラ１８の間には、原稿の到達を検出する原稿到達センサＢが設けられている。第２搬送ローラ１８と第３搬送ローラ１９の間では、原稿を一定の速度で搬送しながら、コンタクトガラス３の部分で読み取りを行ない、読み取った原稿を排出ローラ２０より原稿排出トレイ２２に向けて排出させる。
【００１９】
さらに、ＡＤＦ１０には、原稿に付いているホッチキスやクリップを吸着する磁石Ｍ１、Ｍ２、Ｍ３が、原稿搬送路１３に設けられている。図１において、ピックアップローラ１４とセパレートローラ１５の間では原稿搬送路１３の上側に磁石Ｍ１、セパレートローラ１５と第１搬送ローラ１７の間では原稿搬送路１３の上側に磁石Ｍ２、下側に磁石Ｍ３が設けられている。
【００２０】
複数枚からなる原稿が原稿載置トレイ２１にセットされた場合、原稿は最上面のものより順にピックアップローラ１４によって取込まれる。ピックアップローラ１４とセパレートローラ１５の間では、原稿はまだ数枚重なった状態にある。その後、セパレートローラ１５とリタードローラ１６によって最上面の原稿より１枚ずつＡＤＦ１０内部へ取込まれる。したがって、セパレートローラ１５とリタードローラ１６によって取込まれる１枚に付いているホッチキスやクリップを磁石Ｍ１が吸着すれば良いため、ピックアップローラ１４とセパレートローラ１５の間では、原稿搬送路１３の下側には磁石を設けなかった。また、セパレートローラ１５と第１搬送ローラ１７の間では、原稿は１枚になっているため、磁石Ｍ２、Ｍ３のいずれによっても原稿に付いているホッチキスやクリップを吸着することが可能である。
【００２１】
しかし、ホッチキスやクリップの付いた原稿が原稿搬送路１３内へ取り込まれることを防止することが目的であるため、磁石Ｍ１、Ｍ２、Ｍ３は第１搬送ローラ１７より上流側で、且つ最初の搬送ローラであるピックアップローラ１４より下流側に設けられていればよい。したがって、図示したように、３箇所全てに設ける必要はなく、少なくとも１箇所に設けられてあれば、ホッチキスやクリップの付いた原稿がＡＤＦ１０内部へ取り込まれることを防止することが可能となる。
【００２２】
また、原稿の到達を検出する原稿到達センサＢを、原稿搬送路１３沿いに、第１搬送ローラ１７と第２搬送ローラ１８の間（磁石Ｍ１、Ｍ２、またはＭ３より下流側の位置）に設けたのは、原稿にホッチキスやクリップが付いていた場合、原稿は磁石Ｍ１、Ｍ２、またはＭ３に吸着されるため、原稿は第１搬送ローラ１７に到達しないからである。したがって、図示の位置に原稿到達センサＢを設けることによって、原稿が磁石Ｍ１、Ｍ２、またはＭ３に吸着されていることをＡＤＦ１０が認識することが可能となる。その具体的動作については後述する。
【００２３】
次に、図２を用いて、画像読取装置１の平面図について説明する。図２は、ＡＤＦ１０内部にあるピックアップローラ１４、セパレートローラ１５、磁石Ｍ１の配置構造を説明するためのものであり、上部材１２は省略してある。図２において、Ｄは原稿、１４ａ、１５ａは駆動軸、２３は原稿ガイド、矢印は原稿の搬送方向である。原稿ガイド２３は、載置される原稿の幅に応じて移動可能である。
【００２４】
図示されるように、磁石Ｍ１は、原稿の幅方向全長に渡って設けられている。したがって、ホッチキスやクリップが原稿のいずれの位置に付いていても、確実にホッチキスやクリップを吸着することができる。なお、磁石Ｍ１の吸着力は、ピックアップローラ１４、セパレートローラ１５等の原稿搬送用ローラが駆動しても、吸着している原稿がＡＤＦ１０内へ取込まれない強さとする。磁石Ｍ２、Ｍ３についても同様である。
【００２５】
ピックアップローラ１４からは駆動軸１４ａ、セパレートローラ１５からは駆動軸１５ａが突出しており、駆動伝達機構であるベルト２４を介して連結されている。したがって、ピックアップローラ１４とセパレートローラ１５は連動するように構成されている。また、ピックアップローラ１４は、セパレートローラ１５の軸を中心に揺動することにより、原稿Ｄに対して上下動する。ピックアップローラ１４が上下動する際に磁石Ｍ１と干渉しないように、駆動軸１４ａ、１５ａは、磁石Ｍ１の外側まで延びており、ベルト２４は磁石Ｍ１の端部よりも外側に設けられている。
【００２６】
次に、図３を用いて、画像読取装置１を含む制御系について説明する。図３は、本発明の実施の形態に係るＡＤＦを備えた画像読取装置を含む制御系のブロック図である。
【００２７】
画像読取装置１は、主制御部（ＣＰＵ）３１、ＲＯＭ（リードオンリーメモリ）３２、ＲＡＭ３３（ランダムアクセスメモリ）、スキャナ３４、操作部３５、表示部３６、駆動回路３７、モータドライバ３８、原稿セットセンサＡ、原稿到達センサＢ等を備えており、各部３１乃至３８及びＡ、Ｂは、互いにバス３９によって接続されている。
【００２８】
主制御部３１は、所定の制御プログラムに従って画像読取装置１を構成する各部を制御する制御部として機能する。
【００２９】
ＲＯＭ３２は、主制御部３１がこの画像読取装置１の各部の動作を制御するための各種プログラムを格納している。
【００３０】
ＲＡＭ３３は、ＲＯＭ３２のプログラムを実行する際に発生するデータを一時的に記憶する記憶部である。
【００３１】
スキャナ３４は、原稿の画像を光学式に読み取ってその画データを取得し、取得した画データに所定の処理を施して主制御部３１の指示により所定の出力先へ出力する読取手段である。
【００３２】
操作部３５は、スタートキー３５ａ等を具備しており、ユーザが行なう各種操作はこの操作部３５から行なわれる。ユーザがスタートキー３５ａを押下することによって、画像読取装置１が稼動し、原稿の取り込みが行なわれる。
【００３３】
表示部３６は、ユーザが操作部３５から操作する際に参照する情報、原稿到達センサＢが原稿の到達を検出しなかった際のユーザに対するメッセージ等を表示する。
【００３４】
モータドライバ３８は、搬送用ローラ駆動モータ３７を駆動させ、原稿の搬送を可能とする。
【００３５】
原稿セットセンサＡは、原稿載置トレイ２１に原稿が載置されたか否かの検出を行なう。原稿到達センサＢは、原稿搬送路の途中にあって、原稿の到達の検出を行なう。
【００３６】
次に、図４を用いて、画像読取装置１の動作について説明する。図４は、本発明の実施の形態に係るＡＤＦ１０を備えた画像読取装置１が原稿を読み取る動作を示すフローチャートである。主制御部３１によりＲＯＭ３２に格納されたプログラムを実行することにより、以下の動作が実行される。
【００３７】
まず、ユーザによって、原稿が原稿載置トレイ２１にセットされる（Ｓ１）。スタートキー３５ａが押下されると（Ｓ２：ＹＥＳ）、搬送用ローラ駆動モータ３７が駆動し（Ｓ３）、ピックアップローラ１４が下降し（Ｓ４）、原稿が取り込まれる。
【００３８】
原稿到達センサＢにおいて、原稿が到達したか否かが検出される（Ｓ５）。原稿の到達が確認された場合は、コンタクトガラス３の位置において、スキャナ３４（読取手段）により画像の読み取りが行なわれる（Ｓ６）。原稿画像の読み取りは、原稿を搬送しながら、静止した読取手段により行なわれる。その後、原稿は排出ローラ２０によって、原稿排出トレイ２２上へと排紙され、一連の読取動作が完了する。
【００３９】
次に、原稿到達センサＢが原稿の到達を確認しなかった場合、すなわちＳ５においてＮＯであった場合について説明する。まず、原稿搬送用ローラが駆動してから所定時間が経過したか否かが判断される（Ｓ７）。所定時間が経過していない場合には、Ｓ５に戻り、原稿到達センサＢにおいて原稿到達の検出が行なわれる。
【００４０】
Ｓ７において、所定時間が経過したと判断された場合、原稿搬送用ローラが停止される（Ｓ８）。所定時間内に原稿到達センサＢが原稿の到達を検出しないのは、原稿にホッチキスやクリップが付いていたために、磁石Ｍ１、Ｍ２、Ｍ３のいずれかに吸着されていることが想定される。したがって、表示部３６には、原稿にホッチキスやクリップが付いていないかをユーザに確認させるためのメッセージが表示される（Ｓ９）。メッセージを見たユーザは、原稿にホッチキスやクリップが付いていないかを確認し、付いていた場合にはこれを取り除き、原稿を原稿載置トレイ２１に再度セットする。その後、図４に示される読取動作がＳ１から行なわれる。
【００４１】
図４のフローチャートにおける説明では、原稿載置トレイ２１にセットされた原稿枚数は１枚であった。しかし、実際にホッチキスやクリップで綴じられている原稿は、複数枚から構成されていることが多い。そこで、セットされた原稿の枚数が２枚以上ある場合には、原稿到達センサＢによって、１枚目の原稿の後端が通過してから所定時間以内に次の原稿の先端が検出されなければ、上記Ｓ８、Ｓ９の動作を行なう。
【００４２】
以上説明したように、本発明の画像読取装置では、原稿取込口近傍に磁石を設けることによって、原稿に付いているホッチキスやクリップを吸着し、原稿の取り込みを強制的に中止させた。よって、簡単な構造でホッチキスやクリップの付いた原稿がＡＤＦ内部に取り込まれることを防止することが可能である。
【００４３】
【発明の効果】
本発明は以上のように構成されるので、以下のような効果を奏する。
【００４４】
原稿を載置する原稿載置トレイと、原稿を１枚ずつ分離しながら搬送する原稿分離手段と、原稿の読み取りを行なう読取手段を備えた画像読取装置において、原稿に付いている金属を吸着する磁石を原稿分離手段近傍に設けたことを特徴とする。したがって、金属検知器を設けることなく、簡単な構成により、金属が付いた原稿の取り込みを確実に防止することが可能である。
【００４５】
上記画像読取装置において、前記磁石は、原稿搬送路の上側及び下側の少なくとも一方において、原稿の幅方向全長に渡って設けられていることを特徴とする。したがって、原稿のいずれの位置に金属が付いていても、原稿の取り込みを確実に防止することが可能である。
【００４６】
上記画像読取装置において、原稿分離手段の直ぐ上流側に、原稿載置トレイから原稿を抽出する原稿抽出手段を備え、前記磁石は、原稿抽出手段と原稿分離手段の間において、原稿搬送路の上側に設けられている。この場合、原稿抽出手段と原稿分離手段は駆動伝達機構を介して連動可能に設けられており、原稿分離手段を軸に揺動する原稿抽出手段が原稿に対して上下動する際に前記磁石と干渉しないように、原稿抽出手段と原稿分離手段の軸は前記磁石の外側まで延びており、駆動伝達機構は前記磁石の端部よりも外側に設けられていることを特徴とする。したがって、原稿抽出手段及び原稿分離手段の動作を妨げることなく、磁石を設置することが可能である。
【００４７】
上記画像読取装置において、前記磁石は、原稿分離手段の直ぐ下流側に設けられていることを特徴とする。したがって、金属の付いた原稿が、自動原稿搬送装置の内部へ搬送されることを防止することが可能である。
【００４８】
上記画像読取装置において、原稿搬送路の途中にあって、取り込んだ原稿の通過を検出するセンサと、原稿搬送用ローラが駆動したにも関わらず原稿の通過を検出しない場合、原稿に対する金属の付着確認を促すメッセージを表示させる制御手段を備えたことを特徴とする。したがって、金属付着により原稿の取り込みを失敗した場合、ユーザは当該エラーに容易に気付くことができる。
【図面の簡単な説明】
【図１】図１は、本発明の実施の形態に係るＡＤＦを備えた画像読取装置の側面断面図である。
【図２】図２は、図１の平面図である。
【図３】図３は、本発明の実施の形態に係るＡＤＦを備えた画像読取装置を含む制御系のブロック図である。
【図４】図４は、本発明の実施の形態に係る画像読取装置の読取動作を示すフローチャートである。
【符号の説明】
１　　画像読取装置
２　　装置フレーム
３　　コンタクトガラス
１０　ＡＤＦ
１１　本体フレーム
１２　上部材
１３　原稿搬送路
１４　ピックアップローラ
１５　セパレートローラ
１６　リタードローラ
１７　　第１搬送ローラ
１８　　第２搬送ローラ
１９　　第３搬送ローラ
２０　　排出ローラ
２１　原稿載置トレイ
２２　原稿排出トレイ
Ａ　　原稿セットセンサ
Ｂ　センサ
【図１】
2004040267.tif 000003
【図２】
2004040267.tif 000004
【図３】
2004040267.tif 000005
【図４】
2004040267.tif 000006